(57)【要約】産業用通信装置を制御する電子装置において、近距離通信モジュールと、メイン通信モジュールと、前記近距離通信モジュールを介してペアリングされた産業用通信装置から第１音声に対応する音声信号を受信すると、メッセンジャーアプリケーションの対話グループに接続された少なくとも１人の対話相手を確認し、前記メイン通信モジュールを用いて前記確認された対話相手の当該装置に前記第１音声に対応する音声メッセージを送信する制御部とを含むことを特徴とする。【選択図】図３Ａ
2018524894.tif 000002
【特許請求の範囲】
【請求項１】
産業用通信装置を制御する電子装置において、
近距離通信モジュールと、
メイン通信モジュールと、
前記近距離通信モジュールを介してペアリングされた産業用通信装置から第１音声に対応する音声信号を受信すると、メッセンジャーアプリケーションの対話グループに接続された少なくとも１人の対話相手を確認し、前記メイン通信モジュールを用いて前記確認された対話相手の当該装置に前記第１音声に対応する音声メッセージを送信する制御部とを含む産業用通信装置を制御する電子装置。
【請求項２】
前記対話グループの対話ウィンドウを表示する表示部をさらに含み、
前記制御部は、
前記近距離通信モジュールを介してペアリングされた産業用通信装置から第１音声に対応する音声信号を受信すると、前記表示部に前記第１音声に対応する視覚効果を表示するように制御することを含む、請求項１に記載の産業用通信装置を制御する電子装置。
【請求項３】
格納部をさらに含み、
前記制御部は、
前記近距離通信モジュールを介してペアリングされた産業用通信装置から第１音声に対応する信号を受信すると、前記格納部に前記第１音声に対応する音声データを格納するように制御することを含む、請求項１に記載の産業用通信装置を制御する電子装置。
【請求項４】
前記制御部は、
前記メイン通信モジュールを介して前記当該装置から第２音声に対応する音声メッセージを受信すると、前記近距離通信モジュールを介して前記産業用通信装置に前記第２音声に対応する音声信号を送信するように制御することを含む、請求項１に記載の産業用通信装置を制御する電子装置。
【請求項５】
表示部をさらに含み、
前記制御部は、
前記メイン通信モジュールを介して前記当該装置から第２音声に対応する音声メッセージを受信すると、前記表示部に前記第２音声に対応する視覚効果を表示するように制御することを含む、請求項４に記載の産業用通信装置を制御する電子装置。
【請求項６】
格納部をさらに含み、
前記制御部は、
前記メイン通信モジュールを介して前記当該装置から前記第２音声に対応する音声メッセージを受信すると、前記格納部に前記第２音声に対応する音声データを格納するように制御することを含む、請求項４に記載の産業用通信装置を制御する電子装置。
【請求項７】
前記制御部は、
前記近距離通信モジュールを介してペアリングされた産業用通信装置から第１事故発生アラームに対応する信号を受信すると、前記メイン通信モジュールを用いて前記メッセンジャーアプリケーションに接続された少なくとも１つの対話相手の当該装置に前記第１事故発生アラームに対応するメッセージを送信するように制御することを含む、請求項１に記載の産業用通信装置を制御する電子装置。
【請求項８】
表示部をさらに含み、
前記制御部は、
前記当該装置から前記メイン通信モジュールを介して第２事故発生アラームに対応するメッセージを受信すると、前記近距離通信モジュールを介して前記産業用通信装置に前記第２事故発生アラームに対応する信号を送信し、前記第２事故発生アラームに対応する情報を前記表示部に表示するように制御することを含む、請求項７に記載の産業用通信装置を制御する電子装置。
【請求項９】
前記第１事故発生アラームに対応するメッセージおよび前記第２事故発生アラームに対応するメッセージは、
事故発生日時、事故発生対象者の情報、または事故発生位置の少なくとも１つを含む、請求項８に記載の産業用通信装置を制御する電子装置。
【請求項１０】
産業用通信装置において、
近距離通信モジュールと、
ＦＲＳ（ｆａｍｉｌｙ  ｒａｄｉｏ  ｓｅｒｖｉｃｅ）用信号を通信する無電通信モジュールと、
音声入力部と、
入力モジュールと、
前記入力モジュールを介して入力されたユーザ操作によって、無電通信機能または近距離無線通信機能の実行を決定し、前記無電通信機能の実行決定時、前記音声入力部を介して第１音声が入力されると、前記無電通信モジュールを用いて外部に前記第１音声に対応する音声信号を送信し、前記近距離無線通信機能の実行決定時、前記音声入力部を介して第２音声が入力されると、前記近距離通信モジュールを介してペアリングされた電子装置に前記第２音声に対応する音声信号を送信する制御部とを含む産業用通信装置。
【請求項１１】
照明部をさらに含み、
前記制御部は、
前記無電通信機能の実行決定時、前記照明部に含まれた第１照明を点灯し、前記近距離無線通信機能の実行決定時、前記照明部に含まれた第２照明を点灯するように制御することを含む、請求項１０に記載の産業用通信装置。
【請求項１２】
サウンド出力部をさらに含み、
前記制御部は、
前記近距離通信モジュールを介して前記ペアリングされた電子装置から第３音声に対応する信号を受信すると、前記第３音声を前記サウンド出力部を介して出力し、
前記無電通信モジュールを介して他の産業用通信装置から第４音声に対応する信号を受信すると、前記第４音声を前記サウンド出力部を介して出力するように制御することを含む、請求項１０に記載の産業用通信装置。
【請求項１３】
前記制御部は、
前記入力モジュールを介して入力されたユーザ操作によって、前記電子装置のメッセンジャーアプリケーションの対話グループのうち、活性化された対話グループの活性化を他の対話グループに変更する信号を前記近距離通信モジュールを介して前記電子装置に送信するように制御することを含む、請求項１０に記載の産業用通信装置。
【請求項１４】
前記制御部は、
前記入力モジュールを介して入力されたユーザ操作によって、前記無電通信モジュールに設定された無電チャネルを指定された無電チャネルのいずれか１つの無電チャネルに変更するように制御することを含む、請求項１０に記載の産業用通信装置。
【発明の詳細な説明】
【技術分野】
【０００１】
本発明は、産業用通信装置を制御する電子装置およびその産業用通信装置に関する。
【背景技術】
【０００２】
産業技術の発展に伴い、建設現場、造船所、機械工場のような産業現場や災害現場などが大型化され複雑になっている。これによって、産業現場や災害現場で働くユーザの安全と作業の専門性および効率性を高めるために、ユーザはヘルメット、ベルト、手袋などのような保護具を着用しなければならず、中央センターや他のユーザとの協力作業のためにコミュニケーションできる通信装備を所持することが必須である。
【０００３】
このために、従来は、ヘルメットのような保護具に無電機のような通信装置を結合させて保護具を着用した状態で、無電機などを用いてユーザ間で無線交信できるようにしていた。
【０００４】
しかし、従来の無電機のような通信装置を結合させた保護具は、送信者と受信者との間の単純音声を送信および／または受信することだけが可能で、ユーザ間の距離などによって無電機の信号の品質が低下する問題があった。
【発明の概要】
【発明が解決しようとする課題】
【０００５】
そこで、本発明の一つの目的は、距離による制約なく、保護具を着用したユーザ間の高品質の音声信号を送信および／または受信することができる産業用通信装置を制御する電子装置、方法およびその産業用通信装置を提供することである。
【０００６】
また、本発明の他の目的は、無電機機能と近距離無線通信機能を有する産業用通信装置を制御する電子装置、方法、およびその産業用通信装置を提供することである。
【０００７】
さらに、本発明のさらに他の目的は、保護具を着用したユーザ間の通信時、選択的に無電通信または保護具の通信装置と近距離無線通信で連結された電子装置を用いて、通信できるようにする産業用通信装置を制御する電子装置、方法、およびその産業用通信装置を提供することである。
【０００８】
なお、本発明のさらに他の目的は、保護具の通信装置と近距離無線通信で連結された電子装置に設けられたメッセンジャーアプリケーションを用いて、保護具を着用したユーザがメッセンジャーアプリケーションの対話グループに接続されたユーザに音声および／または文字信号を送信することができる電子装置、方法、およびその産業用通信装置を提供することである。
【課題を解決するための手段】
【０００９】
上記の目的を達成するために、本発明の一態様によれば、産業用通信装置を制御する電子装置において、近距離通信モジュールと、メイン通信モジュールと、前記近距離通信モジュールを介してペアリングされた産業用通信装置から第１音声に対応する音声信号を受信すると、メッセンジャーアプリケーションの対話グループに接続された少なくとも１人の対話相手を確認し、前記メイン通信モジュールを用いて前記確認された対話相手の当該装置に前記第１音声に対応する音声メッセージを送信する制御部とを含むことを特徴とする。
【００１０】
上記の目的を達成するために、本発明の他の態様によれば、産業用通信装置において、近距離通信モジュールと、ＦＲＳ（ｆａｍｉｌｙ  ｒａｄｉｏ  ｓｅｒｖｉｃｅ）用信号を通信する無電通信モジュールと、音声入力部と、入力モジュールと、前記入力モジュールを介して入力されたユーザ操作によって、無電通信機能または近距離無線通信機能の実行を決定し、前記無電通信機能の実行決定時、前記音声入力部を介して第１音声が入力されると、前記無電通信モジュールを用いて外部に前記第１音声に対応する音声信号を送信し、前記近距離無線通信機能の実行決定時、前記音声入力部を介して第２音声が入力されると、前記近距離通信モジュールを介してペアリングされた電子装置に前記第２音声に対応する音声信号を送信する制御部とを含むことを特徴とする。
【００１１】
上記の目的を達成するために、本発明のさらに他の態様によれば、産業用通信装置を制御する方法において、近距離無線通信を介してペアリングされた産業用通信装置から第１音声に対応する信号を受信すると、メッセンジャーアプリケーションの対話グループに接続された少なくとも１人の対話相手を確認する動作と、無線ＬＡＮ通信を介して前記確認された対話相手の当該装置に前記第１音声に対応する音声データを送信する動作とを含むことを特徴とする。
【００１２】
上記の目的を達成するために、本発明のさらに他の態様によれば、産業用通信装置を制御する方法において、ユーザ操作によって、前記産業用通信装置が無電通信機能または近距離無線通信機能の実行を決定する動作と、前記無電通信機能の実行決定時、前記産業用通信装置の音声入力部を介して第１音声が入力されると、前記産業用通信装置が無電通信を介して指定された無電チャネルで外部に前記第１音声に対応する音声信号を送信する動作と、前記近距離無線通信機能の実行決定時、前記産業用通信装置の音声入力部を介して第２音声が入力されると、前記産業用通信装置が近距離無線通信を介してペアリングされた電子装置に前記第２音声に対応する音声信号を送信する動作と、前記産業用通信装置が前記近距離無線通信を介して前記電子装置から第３音声に対応する信号を受信すると、前記産業用通信装置が前記産業用通信装置のサウンド出力部を介して前記第３音声を出力する動作と、前記産業用通信装置が前記無電通信を介して他の産業用通信装置から第４音声に対応する信号を受信すると、前記産業用通信装置が前記産業用通信装置のサウンド出力部を介して前記第４音声を出力する動作とを含むことを特徴とする。
【発明の効果】
【００１３】
上記のように、産業用通信装置を制御する電子装置、方法およびその産業用通信装置を用いることにより、距離による制約なく、保護具を着用したユーザ間の高品質の音声信号を送信および／または受信することができる。また、産業用通信装置は、無電機機能と近距離無線通信機能を有することができ、保護具を着用したユーザ間のコミュニケーションの際、選択的に無電通信または保護具の通信装置と近距離無線通信で連結された電子装置を用いて通信することができる。さらに、保護具の通信装置と近距離無線通信で連結された電子装置に設けられたメッセンジャーアプリケーションを用いて、保護具を着用したユーザが、メッセンジャーアプリケーションの対話ルームに接続されたユーザに音声および／または文字信号を送信することができる。
【図面の簡単な説明】
【００１４】
【図１】本発明の一実施形態に係る産業用通信システムのブロック図である。
【図２】本発明の一実施形態に係る産業用通信装置を示す図である。
【図３Ａ】本発明の一実施形態に係る産業用通信システムの動作のフローチャートである。
【図３Ｂ】本発明の一実施形態に係る産業用通信システムの動作のフローチャートである。
【図４】本発明の一実施形態に係る音声信号の受信時に表示される視覚効果を示す図である。
【図５】本発明の他の実施形態に係る産業用通信システムの動作のフローチャートである。
【図６】本発明の一実施形態に係る事故発生アラームに対応するメッセージの受信時に電子装置に表示される画面を示す図である。
【図７】本発明の他の実施形態に係る事故発生アラームに対応するメッセージの受信時に電子装置に表示される画面を示す図である。
【図８】本発明の一実施形態に係る産業用通信装置を制御する電子装置の動作のフローチャートである。
【図９】本発明の他の実施形態に係る産業用通信装置を制御する電子装置の動作のフローチャートである。
【図１０】本発明の一実施形態に係る産業用通信装置の動作のフローチャートである。
【図１１】本発明の他の実施形態に係る産業用通信装置の動作のフローチャートである。
【図１２】本発明の一実施形態に係るメッセンジャーアプリケーションの加入時に表示される画面を示す。
【図１３】本発明の一実施形態に係るメッセンジャーアプリケーションのログインのための画面を示す。
【図１４】本発明の一実施形態に係るメッセンジャーアプリケーションのユーザ情報入力画面を示す。
【図１５】本発明の一実施形態に係るメッセンジャーアプリケーションのグループ画面を示す。
【図１６】本発明の一実施形態に係るメッセンジャーアプリケーションの個別画面を示す。
【図１７】本発明の一実施形態に係るメッセンジャーアプリケーションの対話リスト画面を示す。
【図１８】本発明の一実施形態に係るメッセンジャーアプリケーションのその他の画面を示す。
【図１９】本発明の一実施形態に係るメッセンジャーアプリケーションの事故者情報画面を示す。
【図２０】本発明の一実施形態に係るメッセンジャーアプリケーションの対話グループの対話ウィンドウ画面を示す。
【図２１】本発明の一実施形態に係るメッセンジャーアプリケーションのオプション設定画面を示す。
【図２２】本発明の一実施形態に係るメッセンジャーアプリケーションの対話グループの対話ウィンドウがポップアップウィンドウの形態で表示された画面を示す。
【図２３】本発明の一実施形態に係るメッセンジャーアプリケーションの事故者情報がポップアップウィンドウの形態で表示された画面を示す。
【図２４】本発明の一実施形態に係るアプリケーションの個別対話グループの生成を説明するための画面を示す。
【図２５】本発明の一実施形態に係るメッセンジャーアプリケーションの対話グループの対話ウィンドウの実行を説明するための画面を示す。
【図２６】本発明の一実施形態に係るメッセンジャーアプリケーションの対話グループの対話ウィンドウの移動を説明するための画面を示す。
【図２７】本発明の一実施形態に係るメッセンジャーアプリケーションの対話グループの対話ウィンドウでの対話を説明するための画面を示す。
【図２８】本発明の一実施形態に係るメッセンジャーアプリケーションの対話ウィンドウでの呼び出し機能を説明するための画面を示す。
【発明を実施するための形態】
【００１５】
以下、本発明に係る好ましい実施形態を、添付した図面を参照して詳細に説明する。下記の説明では、具体的なメッセンジャーアプリケーション、対話グループなどのような名称、構成素子などの特定事項が示されているが、これは本発明のより全般的な理解のために提供されたものに過ぎず、このような特定事項が本発明の範囲内で所定の変形あるいは変更が可能であることは、この技術分野における通常の知識を有する者には自明であろう。また、本文書で使われた「第１」、「第２」などの表現は、多様な構成要素を、順序および／または重要度にかかわらず修飾可能であり、１つの構成要素を他の構成要素と区分するために使われるだけで当該構成要素を限定しない。例えば、第１電子装置と第２電子装置は、順序または重要度を問わず、互いに異なるユーザ機器を示すことができる。例えば、本文書に記載された権利範囲を逸脱しない範囲で第１構成要素は第２構成要素と名付けられてもよく、同じく第２構成要素も第１構成要素に代えて名付けられてもよい。さらに、ある構成要素（例：第１構成要素）が他の構成要素（例：第２構成要素）に「（機能的にまたは通信的に）連結されて（（ｏｐｅｒａｔｉｖｅｌｙ  ｏｒ  ｃｏｍｍｕｎｉｃａｔｉｖｅｌｙ）ｃｏｕｐｌｅｄ  ｗｉｔｈ／ｔｏ）」いたり「接続されて（ｃｏｎｎｅｃｔｅｄ  ｔｏ）」いると言及された場合には、前記ある構成要素が前記他の構成要素に直接的に連結されるか、他の構成要素（例：第３構成要素）を介して連結されると理解されなければならない。反面、ある構成要素（例：第１構成要素）が他の構成要素（例：第２構成要素）に「直接連結されて」いたり「直接接続されて」いると言及された場合には、前記ある構成要素と前記他の構成要素との間に他の構成要素（例：第３構成要素）が存在しないことが理解されるであろう。
【００１６】
図１は、本発明の一実施形態に係る産業用通信システムのブロック図である。図１を参照すれば、産業用通信システムは、サーバ（Ｓｅｒｖｅｒ）１０と、電子装置１０００と、産業用通信装置１００とを含むことができる。
【００１７】
サーバ１０は、制御部１１と、通信部１３と、格納部１５とを含むことができる。
【００１８】
前記制御部１１は、通信部１３を介して、格納部１５に格納されたメッセンジャーアプリケーションを電子装置１０００に送信することができる。
【００１９】
前記メッセンジャーアプリケーションは、インターネット上で前記メッセンジャーアプリケーションの加入者間でリアルタイムにメッセージとデータを送信および／または受信できるようにデザインされたソフトウェアプログラムであればよい。また、前記メッセンジャーアプリケーションには、ユーザ操作によって、少なくとも１人の対話相手を含む１つ以上の対話グループが設定される。さらに、前記メッセンジャーアプリケーションが設けられた第１電子装置が、前記第１電子装置に連結された産業用通信装置から、前記メッセンジャーアプリケーションの特定対話グループに含まれた対話相手（または対話相手ら）に送信するための音声信号が受信されると、前記第１電子装置が相対の対話相手（または対話相手ら）の当該電子装置（第２電子装置）に前記音声信号を送信することができる。また、前記第２電子装置に送信された音声信号は、前記第２電子装置に連結された他の産業用通信装置に送信される。さらに、前記第１電子装置は、前記第２電子装置から第１電子装置に連結された産業用通信装置に送信されるようにするための音声信号を受信することができ、前記第１電子装置に前記第１装置と連結された前記産業用通信装置に送信されるようにするための音声信号が受信されると、前記第１電子装置は、当該音声信号を第１装置に連結された前記産業用通信装置に送信することができる。前記メッセンジャーアプリケーションのより詳細な説明は後述する。
【００２０】
電子装置１０００は、制御部１１００と、入力部１３００と、表示部１５００と、近距離通信モジュール１７００と、メイン通信モジュール１８００と、格納部１９００とを含むことができる。また、電子装置１０００は、コンピュータ（図示せず）、タブレットＰＣ（図示せず）、スマートフォン（図示せず）など多様であり得る。
【００２１】
入力部１３００は、ユーザの操作を入力とし、タッチスクリーン（図示せず）で構成され、キーボード（図示せず）、マウス（図示せず）、音声入力部（図示せず）、ボタン（図示せず）などを含むことができる。
【００２２】
表示部１５００は、各種応用プログラムの実行映像と動作状態、メニュー状態などをディスプレイし、タッチスクリーンと統合的に実現される。
【００２３】
近距離通信モジュール１７００は、産業用通信装置１００などのような外部装置と近距離無線通信のための無線信号処理動作を行うことができる。近距離通信モジュール１７００は、例えば、ワイファイ（ＷｉＦｉ；ｗｉｒｅｌｅｓｓ  ｆｉｄｅｌｉｔｙ）、ブルートゥース（登録商標）（ｂｌｕｅｔｏｏｔｈ）、またはＮＦＣ（ｎｅａｒ  ｆｉｅｌｄ  ｃｏｍｍｕｎｉｃａｔｉｏｎ）などの少なくとも１つを含むことができる。
【００２４】
メイン通信モジュール１８００は、無線ＬＡＮモジュール１８０１および移動通信モジュール１８０３を含むことができ、サーバ１０、電子装置などのような外部装置と無線通信のための無線信号処理動作を行うことができる。
【００２５】
無線ＬＡＮモジュール１８０１は、制御部１１００の制御によって、無線アクセスポイント（ＡＰ；ａｃｃｅｓｓ  ｐｏｉｎｔ）が設けられた場所でインターネットに連結される。
【００２６】
移動通信モジュール１８０３は、電子装置１０００に入力される電話番号を有する携帯電話（図示せず）、スマートフォン、タブレットＰＣまたは他の装置と音声通話、画像通話、文字メッセージ（ＳＭＳ）またはマルチメディアメッセージ（ＭＭＳ）のための無線信号を送受信することができる。また、移動通信モジュール１８０３は、例えば、ＬＴＥ（ｌｏｎｇ−ｔｅｒｍ  ｅｖｏｌｕｔｉｏｎ）、ＬＴＥ−Ａ（ＬＴＥ  Ａｄｖａｎｃｅ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）（ｗｉｄｅｂａｎｄ  ＣＤＭＡ）、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）、ＷｉＢｒｏ（Ｗｉｒｅｌｅｓｓ  Ｂｒｏａｄｂａｎｄ）、またはＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）などの少なくとも１つを用いることができる。
【００２７】
格納部１９００は、制御部１１００の制御によって、入力部１３００、表示部１５００、近距離通信モジュール１７００、メイン通信モジュール１８００の動作に対応して入／出力される信号またはデータを格納することができる。また、格納部１９００は、電子装置１０００または制御部１１００の制御のための制御プログラムおよびアプリケーションを格納することができる。
【００２８】
「格納部」という用語は、格納部１９００、制御部１１００内のＲＯＭ（図示せず）、ＲＡＭ（図示せず）または電子装置１０００に装着されるメモリカード（図示せず）（例、ＳＤカード、メモリスティック）を含む。
【００２９】
制御部１１００は、ＣＰＵ（図示せず）と、電子装置１０００の制御のための制御プログラムが格納されたＲＯＭ（図示せず）と、電子装置１０００の外部から入力される信号またはデータを記憶したり、電子装置１０００で行われる作業のための記憶領域として用いられるＲＡＭ（図示せず）とを含むことができる。
【００３０】
また、制御部１１００は、前記各機能部（入力部１３００、表示部１５００、近距離通信モジュール１７００、メイン通信モジュール１８００、格納部１９００）を総括的に制御することができる。
【００３１】
また、制御部１１００は、本発明の実施形態により、近距離通信モジュール１７００を介してペアリングされた産業用通信装置１００から第１音声に対応する音声信号を受信すると、メッセンジャーアプリケーションの対話グループに接続された少なくとも１人の対話相手を確認し、メイン通信モジュール１８００を用いて前記確認された対話相手の当該装置に前記第１音声に対応する音声メッセージを送信することができる。
【００３２】
また、制御部１１００は、本発明の実施形態により、近距離通信モジュール１７００を介してペアリングされた産業用通信装置１００から第１音声に対応する音声信号を受信すると、表示部１５００に前記第１音声に対応する視覚効果を表示するように制御することができる。
【００３３】
また、制御部１１００は、本発明の実施形態により、近距離通信モジュール１７００を介してペアリングされた産業用通信装置１００から第１音声に対応する信号を受信すると、格納部１９００に前記第１音声に対応する音声データを格納するように制御することができる。
【００３４】
また、制御部１１００は、本発明の実施形態により、メイン通信モジュール１８００を介して前記当該装置から第２音声に対応する音声メッセージを受信すると、近距離通信モジュール１７００を介して産業用通信装置１００に前記第２音声に対応する音声信号を送信するように制御することができる。
【００３５】
また、制御部１１００は、本発明の実施形態により、メイン通信モジュール１８００を介して前記当該装置から第２音声に対応する音声メッセージを受信すると、表示部１５００に前記第２音声に対応する視覚効果を表示するように制御することができる。
【００３６】
また、制御部１１００は、本発明の実施形態により、メイン通信モジュール１８００を介して前記当該装置から前記第２音声に対応する音声メッセージを受信すると、格納部１９００に前記第２音声に対応する音声データを格納するように制御することができる。
【００３７】
また、制御部１１００は、本発明の実施形態により、近距離通信モジュール１７００を介してペアリングされた産業用通信装置１００から第１事故発生アラームに対応する信号を受信すると、メイン通信モジュール１８００を用いて前記メッセンジャーアプリケーションに接続された少なくとも１つの対話相手の当該装置に前記第１事故発生アラームに対応するメッセージを送信するように制御することができる。
【００３８】
また、制御部１１００は、本発明の実施形態により、前記当該装置からメイン通信モジュール１８００を介して第２事故発生アラームに対応するメッセージを受信すると、近距離通信モジュール１７００を介して産業用通信装置１００に前記第２事故発生アラームに対応する信号を送信し、前記第２事故発生アラームに対応する情報を表示部１５００に表示するように制御することができる。
【００３９】
一方、前記第１事故発生アラームに対応するメッセージおよび前記第２事故発生アラームに対応するメッセージは、事故発生日時、事故発生対象者の情報、または事故発生位置の少なくとも１つを含むことができる。産業用通信装置１００は、制御部１１０と、入力モジュール１３０と、音声入力部１４０と、照明部１５０と、サウンド出力部１６０と、近距離通信モジュール１７０と、無電通信モジュール１８０と、格納部１９０とを含むことができる。
【００４０】
入力モジュール１３０は、ユーザの操作を入力とし、ボタン（図示せず）などを含むことができる。
【００４１】
音声入力部１４０は、ユーザからの音声を入力とする。また、音声入力部１４０は、例えば、マイクを含むことができる。音声入力部１４０を介して入力された音声は、制御部１１０の制御によって、電気的信号の音声信号に変換される。また、前記音声信号は、近距離通信モジュール１７０または無電通信モジュール１８０に伝達されて外部に送信される。
【００４２】
照明部１５０は、少なくとも１つのＬＥＤ照明を含むことができる。
【００４３】
サウンド出力部１６０は、外部から受信された音声信号に対応する音声、外部から受信されたサウンド信号に対応するサウンドを出力することができる。また、サウンド出力部１６０は、例えば、スピーカおよびイヤホンなどを含むことができる。
【００４４】
近距離通信モジュール１７０は、電子装置１０００などのような外部装置と近距離無線通信のための無線信号処理動作を行うことができる。近距離通信モジュール１７０は、例えば、ワイファイ、ブルートゥース、またはＮＦＣの少なくとも１つを含むことができる。
【００４５】
無電通信モジュール１８０は、ＦＲＳ（ｆａｍｉｌｙ  ｒａｄｉｏ  ｓｅｒｖｉｃｅ）用信号を通信することができる。無電通信モジュール１８０は、１００メートル以上の長距離無線通信を行うための通信モジュール（図示せず）を含み、例えば、４４８．７５Ｍｈｚおよび４４９．２６３Ｍｈｚの間に割り当てられたチャネルを用いて、１ｋｍ以上の無線通信を行うＦＲＳ（ｆａｍｉｌｙ  ｒａｄｉｏ  ｓｙｓｔｅｍまたはｆａｍｉｌｙ  ｒａｄｉｏ  ｓｅｒｖｉｃｅ）が用いられる。
【００４６】
格納部１９０は、制御部１１０の制御によって、入力モジュール１３０、音声入力部１４０、照明部１５０、サウンド出力部１６０、近距離通信モジュール１７０、無電通信モジュール１８０の動作に対応して入／出力される信号またはデータを格納することができる。また、格納部１９０は、産業用通信装置１００が事故発生状態に設定される時、事故発生に対応するサウンドを格納することができる。
【００４７】
制御部１１０は、前記各機能部（入力モジュール１３０、音声入力部１４０、照明部１５０、サウンド出力部１６０、近距離通信モジュール１７０、無電通信モジュール１８０、格納部１９０）を総括的に制御することができる。
【００４８】
また、制御部１１０は、本発明の実施形態により、入力モジュール１３０を介して入力されたユーザ操作によって、無電通信機能または近距離無線通信機能の実行を決定し、前記無電通信機能の実行決定時、音声入力部１４０を介して第１音声が入力されると、無電通信モジュール１８０を用いて外部に前記第１音声に対応する音声信号を送信し、前記近距離無線通信機能の実行決定時、音声入力部１４０を介して第２音声が入力されると、近距離通信モジュール１７０を介してペアリングされた電子装置１０００に前記第２音声に対応する音声信号を送信することができる。
【００４９】
また、制御部１１０は、本発明の実施形態により、前記無電通信機能の実行決定時、照明部１５０に含まれた第１照明を点灯し、前記近距離無線通信機能の実行決定時、照明部１５０に含まれた第２照明を点灯するように制御することを含むことができる。
【００５０】
また、制御部１１０は、本発明の実施形態により、近距離通信モジュール１７０を介して前記ペアリングされた電子装置１０００から第３音声に対応する信号を受信すると、前記第３音声をサウンド出力部１６０を介して出力し、無電通信モジュール１８０を介して他の産業用通信装置から第４音声に対応する信号を受信すると、前記第４音声をサウンド出力部１６０を介して出力するように制御することができる。
【００５１】
また、制御部１１０は、本発明の実施形態により、入力モジュール１３０を介して入力されたユーザ操作によって、電子装置１０００のメッセンジャーアプリケーションの対話グループのうち、活性化された対話グループの活性化を他の対話グループに変更する信号を近距離通信モジュール１７０を介して電子装置１０００に送信するように制御することができる。
【００５２】
また、制御部１１０は、本発明の実施形態により、入力モジュール１３０を介して入力されたユーザ操作によって、無電通信モジュール１８０に設定された無電チャネルを指定された無電チャネルのいずれか１つの無電チャネルに変更するように制御することができる。
【００５３】
図２は、本発明の一実施形態に係る産業用通信装置を示す図である。図２を参照すれば、産業用通信装置は、安全帽であればよいし、安全帽は、ＬＥＤ照明（２０１；例：照明部１５０）と、マイク（２０２；例：音声入力部１４０）と、スピーカ（２０３；サウンド出力部１６０）と、チャネル変更ボタン（２０４）と、４００Ｍ  ＰＴＴ（ｐｕｓｈ  ｔｏ  ｔａｌｋ）ボタン２０５と、ボリュームボタン２０６と、電源／状態表示灯２０７と、電源ボタン２０８と、外部バッテリ連結ジャック２０９と、イヤホン連結ジャック２１０と、照明電源ボタン２１１と、ＩＰ（ｉｎｔｅｒｎｅｔ  ｐｒｏｔｏｃｏｌ）ＰＴＴボタン２１２と、充電ＬＥＤ２１３とを含むことができる。
【００５４】
上述したチャネル変更ボタン２０４、４００Ｍ  ＰＴＴボタン２０５、ボリュームボタン２０６、電源ボタン２０８、照明電源ボタン２１１、またはＩＰ  ＰＴＴボタン２１２の少なくとも１つは、図１に示された入力モジュール１３０に含まれる。
【００５５】
前記チャネル変更ボタン２０４は、例えば、ＵＰキー（図示せず）とＤＯＷＮキー（図示せず）とを含むことができる。
【００５６】
一実施形態によれば、チャネル変更ボタン２０４は、無線通信機能または無電通信機能を選択するのに用いられる。例えば、ユーザがＵＰキーを押すと、無電通信機能が実行され、ユーザがＤＯＷＮキーを押すと、近距離無線通信機能が実行される。
【００５７】
一実施形態によれば、チャネル変更ボタン２０４は、無電通信モジュール（例：無電通信モジュール１８０）の無電チャネルを変更するのに用いられる。例えば、ユーザがＵＰキーを長く押した後、ＵＰキーまたはＤＯＷＮキーを短く押して、すでに設定された無電チャネルを指定された無電チャネルのいずれか１つの無電チャネルに変更することができる。追加的に、無電チャネルが変更されると、安全帽の制御部（例：制御部１１０）の制御によって、変更された無電チャネル番号がスピーカ２０３を介して出力されるようにしてもよい。
【００５８】
一実施形態によれば、チャネル変更ボタン２０４は、図１に示された電子装置１０００のメッセンジャーアプリケーションの対話グループのうち、活性化された対話グループの活性化を他の対話グループに変更する信号を近距離通信モジュール１７０を介して電子装置１０００に送信するのに用いられる。例えば、ユーザがＤＯＷＮキーを長く押した後、ＵＰキーまたはＤＯＷＮキーを短く押して、すでに活性化された対話グループを指定された対話グループのいずれか１つの対話グループに変更することができる。追加的に、対話グループが変更されると、安全帽の制御部の制御によって、変更されたグループの名前がスピーカ２０３を介して出力されるようにしてもよい。前記対話グループは、登録されたグループの中から選択される。例えば、前記対話グループは、ユーザが設定したグループの中からユーザ操作によって選択される。
【００５９】
前記４００Ｍ  ＰＴＴボタン２０５は、４００ＭＨｚを用いて音声送出時に用いられる。一実施形態によれば、４００Ｍ  ＰＴＴボタン２０５は、無電通信を用いて音声を送出する時に用いられる。
【００６０】
前記ボリュームボタン２０６は、スピーカ２０３のサウンド出力ボリュームを調節することができる。一実施形態によれば、ボリュームボタン２０６は、＋ボタンおよび−ボタンを含み、＋ボタンまたは−ボタンを短く（例：０．５秒）押して、スピーカ２０３の出力ボリュームを調節することができる。例えば、前記出力ボリュームは、第１、第２、第３、第４段階まで設定可能である。
【００６１】
前記電源ボタン２０８は、安全帽の電源をオン（ｏｎ）またはオフ（ｏｆｆ）する。一実施形態によれば、電源ボタン２０８は、電源オフの状態でユーザが電源ボタン２０８を長く（例：２秒以上）押すと、安全帽の電源がオンされる。また、追加的に電源がオンされると、安全帽の制御部の制御によって、電源がオンされたことを知らせるサウンドおよび／または音声（例：「電源が入りました。」といった音声コメント）をスピーカ２０３を介して出力されるようにしてもよいし、また、図２に示された電源／状態表示灯（２０７；例：照明部１５０）に含まれた特定色のＬＥＤ（図示せず））がオンされるようにしてもよい。一方、電源オンの状態でユーザが電源ボタン２０８を長く押すと、安全帽の電源がオフされる。また、追加的に、電源がオフされると、安全帽の制御部の制御によって、電源がオフされたことを知らせるサウンドおよび／または音声（例：「電源が切れました。」といった音声コメント）をスピーカ２０３を介して出力されるようにしてもよいし、また、前記オンとなったＬＥＤがオフされるようにしてもよい。
【００６２】
一実施形態によれば、電源ボタン２０８は、安全帽の状態情報を知らせることもできる。前記安全帽の状態情報は、例えば、バッテリ残量および無線通信の連結状態であればよい。例えば、無電通信機能または近距離無線通信機能の活性化に関係なく、ユーザが電源ボタン２０８を短く押すと、安全帽の制御部の制御によって、前記状態情報がスピーカ２０３を介して音声として出力されるようにしてもよい。例えば、ユーザが電源ボタン２０８を短く押すと、バッテリ残量については、バッテリ残量はｘｘ％という音声がスピーカ２０３を介して出力されるようにしてもよい。また、例えば、無線通信の連結状態については次のような３つに分類され、無線通信の連結状態についての音声がスピーカ２０３を介して出力されるようにしてもよい。
【００６３】
例えば、電子装置１０００と安全帽とが近距離通信モジュールを介して連結されており、電子装置１０００の上述したメッセンジャーアプリケーションが活性化されている状態で、ユーザが電源ボタン２０８を短く押すと、「正常に連結されました。」といった音声がスピーカ２０３を介して出力される。
【００６４】
また、例えば、電子装置１０００と安全帽とが連結されていない場合、ユーザが電源ボタン２０８を短く押すと、「通信状態を確認して下さい。」といった音声がスピーカ２０３を介して出力される。
【００６５】
さらに、例えば、電子装置１０００と安全帽とが近距離通信モジュールを介して連結されているが、電子装置１０００の上述したメッセンジャーアプリケーションが非活性化されている状態で、ユーザが電源ボタン２０８を短く押すと、「メッセンジャーアプリケーションを確認して下さい。」といった音声がスピーカ２０３を介して出力される。前記メッセンジャーアプリケーションが非活性化されている状態は、例えば、メッセンジャーアプリケーションにエラーが発生して非活性化されたり、メッセンジャーアプリケーションが電子装置に設けられていないために非活性化される。
【００６６】
前記照明電源ボタン２１１は、安全帽のＬＥＤ照明２０１をオンまたはオフさせる。一実施形態によれば、ユーザが照明電源ボタン２１１を押すと、ＬＥＤ照明２０１がオンまたはオフされる。
【００６７】
前記ＩＰ  ＰＴＴボタン２１２は、ＩＰ  ＰＴＴを用いて音声送出時に用いられる。一実施形態によれば、ＩＰ  ＰＴＴボタン２１２は、近距離無線通信を用いて音声を送出する時に用いられる。
【００６８】
前記外部バッテリ連結ジャック２０９は、外装型バッテリが連結される。一実施形態によれば、外部バッテリ連結ジャック２０９に外装型バッテリを連結すると、安全帽の内装バッテリが充電される。また、バッテリ充電の確認は、充電ＬＥＤ２１３により行うことができる。充電ＬＥＤ２１３は、例えば、それぞれ異なる色の２個のＬＥＤ（図示せず）を含むことができ、例えば、バッテリが充電中の際は、第１ＬＥＤがオンされ、バッテリ充電が完了すると、第２ＬＥＤがオンされる。
【００６９】
前記イヤホン連結ジャック２１０は、イヤホンが連結される。一実施形態によれば、イヤホン連結ジャック２１０にイヤホンが連結されると、すべてのサウンドはイヤホンを介して出力され、イヤホン連結ジャック２１０にイヤホン連結を解除すると、スピーカ２０３を介してサウンドが出力される。
【００７０】
一方、前記産業用通信装置１００は、安全帽以外にも、安全ベルトなど多様であり得る。
【００７１】
図３Ａおよび図３Ｂは、本発明の一実施形態に係る産業用通信システムの動作のフローチャートである。図３Ａおよび図３Ｂを参照すれば、第１産業用通信装置３０１は、近距離無線通信機能を実行して、第１電子装置３００１との近距離無線通信を介して、希望する対話相手の産業用通信装置である第２産業用通信装置３０３に特定音声に対応する音声信号を送信して、前記対話相手が第２産業用通信装置３０３を介して前記特定音声を聴けるようにしてもよい。前記対話相手は、第１電子装置３００１に設けられたアプリケーションの対話グループに含まれていてもよい。また、第１産業用通信装置３０１は、第１電子装置３００１との近距離無線通信を介して、第２産業用通信装置３０３から、第２産業用通信装置３０３のユーザによって入力された特定音声に対応する音声信号を受信して、第１産業用通信装置３０１のユーザが第２産業用通信装置３０３のユーザによって入力された音声を聴けるようにしてもよい。前記第１産業用通信装置３０１のユーザは、第２産業用通信装置３０３に設けられたメッセンジャーアプリケーションの対話グループに含まれていてもよい。
【００７２】
３０５の動作において、第１産業用通信装置３０１と第１電子装置３００１とは、近距離無線通信を介して互いに連結される。また、３１０の動作において、第２電子装置３００３と第２産業用通信装置３０３とは、近距離無線通信を介して互いに連結される。
【００７３】
前記近距離無線通信がブルートゥース通信の場合を例に挙げて第１産業用通信装置３０１と第１電子装置３００１との連結を説明すれば、次の通りである。
【００７４】
一実施形態によれば、第１産業用通信装置３０１が第１電子装置３００１に連結された情報がない場合、または第１産業用通信装置３０１以外の産業用通信装置（図示せず）が第１電子装置３００１に連結されている場合、第１産業用通信装置３０１と第１電子装置３００１との間のブルートゥース通信は、次の順に手動連結される。まず、第１電子装置３００１でブルートゥースを活性化し、その後、第１電子装置３００１で検索機能を利用して第１産業用通信装置３０１を検索することができる。その後、第１電子装置３００１は、第１産業用通信装置３０１の指定された一連番号を確認して登録要請をして、第１電子装置３００１と第１産業用通信装置３０１とが互いにブルートゥース通信を介して連結完了したことを確認することができる。追加的に、第１電子装置３００１と第１産業用通信装置３０１とが互いにブルートゥース通信を介して連結完了したことが確認されると、第１電子装置３００１は、「連結されました。」といった音声が第１電子装置３００１のスピーカを介して出力したり、連結されたことを示す視覚効果が画面に表示してもよい。また、追加的に、第１電子装置３００１と第１産業用通信装置３０１とが互いにブルートゥース通信を介して連結完了したことが確認されると、第１産業用通信装置３０１は、「ハンズフリーが連結されました。」といった音声が第１産業用通信装置３０１のスピーカを介して出力することができる。
【００７５】
一実施形態によれば、第１産業用通信装置３０１に最後にペアリングされた装置が第１電子装置３００１の場合と、第１電子装置３００１のブルートゥース登録された装置項目に第１産業用通信装置３０１がある場合、第１産業用通信装置３０１と第１電子装置３００１とは、ブルートゥース通信を介して互いに自動連結される。
【００７６】
一実施形態によれば、第１産業用通信装置３０１が、ブルートゥース通信を希望する電子装置である第１電子装置３００１でない他の電子装置に接続される場合、ユーザ操作によって、第１産業用通信装置３０１を初期化させることができる。例えば、まず、ユーザが第１産業用通信装置３０１の電源を切り、その後、ユーザが第１産業用通信装置３０１のＩＰ  ＰＴＴボタン（図示せず；例：ＩＰ  ＰＴＴボタン２１２）を押した状態で第１産業用通信装置３０１の電源ボタン（図示せず；電源ボタン２０８）を同時に押し、上述した手動連結方法で第１産業用通信装置３０１と第１電子装置３００１とをブルートゥース通信を介して互いに連結されるようにしてもよい。
【００７７】
一実施形態によれば、第１電子装置３００１でメッセンジャーアプリケーションを実行させると、自動的に第１電子装置３００１と第１産業用通信装置３０１とがブルートゥース通信を介して互いに連結される。また、追加的に、メッセンジャーアプリケーションの実行によって第１電子装置３００１と第１産業用通信装置３０１とがブルートゥース通信を介して互いに連結されると、第１産業用通信装置３０１は、第１産業用通信装置のスピーカを介して「メッセンジャーアプリケーションが連結されました。」といった音声を出力し、第１産業用通信装置のＬＥＤ照明（図示せず；例：ＬＥＤ照明２０１）が点灯（例えば、ＬＥＤ照明が２回ブリンキング（ｂｌｉｎｋｉｎｇ））される。
【００７８】
一方、第２産業用通信装置３０３と第２電子装置３００１との連結も、上述した実施形態によって行われる。
【００７９】
３１５の動作において、第１産業用通信装置３０１は、第１産業用通信装置３０１のマイクを介して第１音声を受信することができる。例えば、ユーザの操作によって、第１産業用通信装置３０１のＩＰ  ＰＴＴボタン（図示せず；例：ＩＰ  ＰＴＴボタン２１２）が押され、第１産業用通信装置３０１のスピーカを介してビーフ音が１回出力された後、ユーザが第１音声を入力すると、第１産業用通信装置３０１は、前記第１音声に対応する第１音声信号を第１電子装置３００１に送信することができる。この時、第１産業用通信装置３０１のＬＥＤ照明は点灯する。前記ユーザの音声入力および前記第１音声信号の送信は、前記ＩＰ  ＰＴＴボタンが押された状態で行われる。
【００８０】
３２０の動作において、第１産業用通信装置３０１は、第１電子装置３００１に近距離無線通信を介して前記第１音声に対応する音声信号を送信することができる。例えば、第１電子装置３００１が前記第１音声に対応する音声信号を受信すると、第１音声に対応する音声データを格納することができる。また、第１電子装置３００１が前記第１音声に対応する音声信号を受信すると、図４（ａ）のように、第１電子装置３００１のメッセンジャーアプリケーションの対話グループの当該対話ウィンドウに前記第１音声に対応する視覚効果が表示される。前記視覚効果は、前記第１音声に対応する音声データの格納時間を含むことができる。また、前記当該対話ウィンドウに前記音声データの格納時間が表示されると、後述する３３０の動作が実行される。一方、前記ＩＰ  ＰＴＴボタンが押された状態が解除され、第１産業用通信装置３０１のスピーカを介してビーフ音が２回出力されると、第１産業用通信装置３０１は、第１電子装置３００１への音声信号の送信を中断する。また、追加的に、前記ＩＰ  ＰＴＴボタンが押された状態が解除され、第１産業用通信装置３０１のスピーカを介してビーフ音が２回出力されると、第１産業用通信装置３０１の点灯したＬＥＤ照明が消え（点灯したＬＥＤ照明の点灯が終了し）てもよい。
【００８１】
３２５の動作において、第１電子装置３００１は、メッセンジャーアプリケーションの対話グループに接続された対話相手を確認することができる。
【００８２】
３３０の動作において、第１電子装置３００１は、第２電子装置３００３に無線ＬＡＮ通信を介して前記第１音声に対応する音声メッセージを送信することができる。
【００８３】
一方、図４（ｂ）を参照すれば、第２電子装置３００３が前記第１音声に対応する音声メッセージを受信すると、第２電子装置３００３のメッセンジャーアプリケーションの対話グループの当該対話ウィンドウには前記第１音声に対応する視覚効果が表示される。
【００８４】
３３５の動作において、第２電子装置３００３は、第２産業用通信装置３０３に近距離無線通信を介して前記第１音声に対応する音声信号を送信することができる。
【００８５】
３４０の動作において、第２産業用通信装置３０３は、第２産業用通信装置３０３のスピーカを介して前記第１音声を出力することができる。例えば、第２産業用通信装置３０３が第１音声に対応する音声信号を受信すると、第２産業用通信装置３０３のスピーカを介してビーフ音を１回出力することができる。また、第２産業用通信装置３０３が第１音声に対応する音声信号を受信すると、第２産業用通信装置３０３のＬＥＤ照明は点灯する。さらに、第２電子装置の音声信号の送信が終了すると、第２産業用通信装置３０３は、第２産業用通信装置３０３のスピーカを介してビーフ音を２回出力することができる。また、追加的に、第２電子装置の音声信号の送信が終了すると、点灯したＬＥＤ照明が消え（点灯したＬＥＤ照明の点灯が終了し）てもよい。
【００８６】
３４５の動作において、第２産業用通信装置３０３は、ユーザから第２産業用通信装置３０３のマイクを介して第２音声を受信することができる。
【００８７】
３５０の動作において、第２産業用通信装置３０３は、第２電子装置３００３に近距離無線通信を介して前記第２音声に対応する音声信号を送信することができる。
【００８８】
３５５の動作において、第２電子装置３００３は、メッセンジャーアプリケーションの対話グループに接続された対話相手を確認することができる。
【００８９】
３６０の動作において、第２電子装置３００３は、第１電子装置３００１に無線ＬＡＮ通信を介して前記第２音声に対応する音声メッセージを送信することができる。
【００９０】
３６５の動作において、第１電子装置３００１は、第１産業用通信装置３０１に近距離無線通信を介して前記第２音声に対応する音声信号を送信することができる。
【００９１】
３７０の動作において、第１産業用通信装置３０１は、第１産業用通信装置３０１のスピーカを介して第２音声を出力することができる。
【００９２】
一方、実施形態に係る３４５の動作から３７０の動作の詳細な説明は、上述した３１５の動作から３４０の動作に対応するので、省略する。
【００９３】
図５は、本発明の他の実施形態に係る産業用通信システムの動作のフローチャートである。図５を参照すれば、第１産業用通信装置５０１を用いるユーザの事故感知時、第１産業用通信装置５０１は、近距離無線通信機能を実行して、第１電子装置５００１との近距離無線通信を介して、希望する対話相手の産業用通信装置である第２産業用通信装置５０３に事故発生を知らせる信号を送信して、前記対話相手が第２産業用通信装置５０３を介して第１産業用通信装置５０１のユーザが第１産業用通信装置５０１のユーザの事故を知るようにしてもよい。前記対話相手は、第１電子装置５００１に設けられたアプリケーションに含まれていてもよい。
【００９４】
５０５の動作において、第１産業用通信装置５０１と第１電子装置５００１とは、近距離無線通信を介して互いに連結される。また、５１０の動作において、第２電子装置５００３と第２産業用通信装置５０３とは、近距離無線通信を介して互いに連結される。
【００９５】
５１５の動作において、第１産業用通信装置５０１は、第１産業用通信装置５０１を用いるユーザの事故を感知することができる。一実施形態によれば、第１産業用通信装置５０１がセンサ部（図示せず；例えば、衝撃センサ）を介して指定された基準値以上の強度の衝撃を感知すると、第１産業用通信装置５０１は、第１産業用通信装置５０１を用いるユーザに事故が発生したと決定することができる。また、第１産業用通信装置５０１がセンサ部（例えば、傾斜センサ、衝撃センサ、またはジャイロセンサの少なくとも１つを含む）を介して第１産業用通信装置５０１を用いるユーザの墜落（落下）を感知すると、第１産業用通信装置５０１は、第１産業用通信装置５０１を用いるユーザに事故が発生したと決定することができる。例えば、傾斜センサおよび／またはジャイロセンサは、ユーザの転倒または長時間動きのない状態を感知し、また、衝撃センサは、ユーザの衝突または落下を感知することができる。
【００９６】
５２０の動作において、第１産業用通信装置５０１は、事故発生アラームを出力することができる。一実施形態によれば、第１産業用通信装置５０１がユーザの事故を感知すると、事故発生アラームを出力することができる。例えば、衝撃発生の感知時、「衝撃を感知しました。大丈夫ですか？」といった音声を第１産業用通信装置５０１のスピーカを介して出力することができる。また、墜落（落下）発生の感知時、「墜落を感知しました。大丈夫ですか？」といった音声を第１産業用通信装置５０１のスピーカを介して出力することができる。さらに、例えば、事故発生アラームは、指定された時間単位（例えば、５秒単位）で発生してもよい。
【００９７】
一実施形態によれば、前記のような事故発生アラームの出力時、ユーザ操作によって、第１産業用通信装置５０１は、事故発生アラームを解除することができる。例えば、ユーザが第１産業用通信装置５０１のボタンのいずれか１つを押すと、産業用通信装置５０１は、事故発生アラームを解除して、事故発生アラームの出力を終了する。また、事故発生アラームが解除されると、産業用通信装置５０１は、「事故感知を解除します。」といった音声が第１産業用通信装置５０１のスピーカを介して出力することができる。
【００９８】
一実施形態によれば、上述した事故発生アラームの出力後指定された時間の間事故発生アラームが解除されなければ、産業用通信装置５０１は、後述する５２５の動作を実行することができる。
【００９９】
５２５の動作において、第１産業用通信装置５０１は、第１電子装置５００１に近距離無線通信を介して事故発生アラームに対応する信号を送信することができる。例えば、第１産業用通信装置５０１は、前記事故発生アラームに対応する信号を送信しながら、「事故情報を送信します。」といった音声を第１産業用通信装置５０１のスピーカを介して出力することができる。
【０１００】
５３０の動作において、第１電子装置５００１は、メッセンジャーアプリケーションに接続された対話相手を確認することができる。前記対話相手は、事故発生アラームに対応する信号が送信されるように第１産業用通信装置５０１または第１電子装置５００１に予め指定されていてもよい。例えば、前記対話相手は、第１産業用通信装置５０１を用いるユーザ自身の所属するグループおよび管理者であればよい。
【０１０１】
５３５の動作において、第１電子装置５００１は、第２電子装置５００３に無線ＬＡＮ通信を介して事故発生アラームに対応するメッセージを送信することができる。
【０１０２】
５４０の動作において、第２電子装置５００３は、前記メッセージに対応する情報を表示することができる。一実施形態によれば、前記メッセージに対応する情報は、図６（ａ）〜（ｃ）のいずれか１つのように、ポップアップウィンドウの形態で表示することができる。前記メッセージに対応する情報は、例えば、第１産業用通信装置５０１を用いるユーザの所属グループ、名前、性別、生年月日、血液型、または事故位置のいずれか１つを含むことができる。また、前記ポップアップウィンドウが終了した場合、ユーザ入力によって、例えば、メッセンジャーアプリケーションのその他の項目のうち、事故者情報項目を実行させて、事故発生アラームを再び確認することができる。
【０１０３】
５４５の動作において、第２電子装置５００３は、第２産業用通信装置５０３に近距離無線通信を介して事故発生アラームに対応する信号を送信することができる。
【０１０４】
５５０の動作において、第２産業用通信装置５０３は、第２産業用通信装置５０３のスピーカを介して事故発生アラームに対応するサウンドを出力することができる。例えば、前記事故発生アラームに対応するサウンドは、「周辺に事故者が発生しました。」といった音声であればよい。
【０１０５】
一方、ユーザ操作によって、第２産業用通信装置５０３の前記事故発生アラームが解除される。一実施形態によれば、前記事故発生アラームの解除は、第２産業用通信装置５０３に連結された第２電子装置５００３で行われ、第２電子装置５００３で事故者の位置が確認されると、事故発生アラームが解除されて事故発生アラームの出力が終了する。図７を参照すれば、図７（ａ）のように、第２電子装置５００３の画面に表示されたポップアップウィンドウで、ユーザ操作によって、「事故地点リンク」が選択されると、図７（ｂ）のような事故者情報ウィンドウが表示され、その後、ユーザ操作によって、事故者情報ウィンドウに表示された「位置を見る」が選択されると、事故者の位置が図７（ｃ）のように表示される。このように事故者の位置が確認されると、事故発生アラームが解除されて事故発生アラームの出力が終了する。
【０１０６】
図８は、本発明の一実施形態に係る産業用通信装置を制御する電子装置の動作のフローチャートである。図８を参照すれば、前記電子装置は、近距離無線通信を介してペアリングされた産業用通信装置から第１音声に対応する信号を受信すると、メッセンジャーアプリケーションの対話グループに接続された少なくとも１人の対話相手を確認する動作と、無線ＬＡＮ通信を介して前記確認された対話相手の当該装置に前記第１音声に対応する音声データを送信する動作とを含むことができる。
【０１０７】
８０１の動作において、電子装置は、近距離無線通信を介してペアリングされた産業用通信装置から第１音声に対応する信号の受信の有無を判断することができる。電子装置は、近距離無線通信を介してペアリングされた産業用通信装置から第１音声に対応する信号を受信すると、８０３の動作を実行し、そうでなければ、８０１の動作を再び実行することができる。
【０１０８】
８０３の動作において、電子装置は、メッセンジャーアプリケーションの対話ウィンドウに前記第１音声に対応する視覚効果を表示することができる。前記視覚効果は、第１音声が受信されたことを示す指定されたイメージであればよい。また、前記視覚効果は、第１音声が受信された時間を含むことができる。さらに、前記視覚効果は、第１音声の容量サイズの値を含むことができる。
【０１０９】
８０５の動作において、電子装置は、前記第１音声に対応する音声データを格納することができる。
【０１１０】
８０７の動作において、電子装置は、前記対話グループに接続された少なくとも１人の対話相手を確認することができる。
【０１１１】
８０９の動作において、電子装置は、無線ＬＡＮ通信を介して前記対話相手の当該装置に前記第１音声に対応する音声メッセージを送信することができる。
【０１１２】
図９は、本発明の他の実施形態に係る産業用通信装置を制御する電子装置の動作のフローチャートである。図９を参照すれば、前記電子装置が無線ＬＡＮ通信を介して他の電子装置から第２音声に対応するメッセージを受信すると、近距離通信を介してペアリングされた産業用通信装置に第２音声に対応する信号を送信することができる。
【０１１３】
９０１の動作において、電子装置は、無線ＬＡＮ通信を介してメッセンジャーアプリケーションに接続された他の電子装置から第２音声に対応するメッセージの受信の有無を判断することができる。電子装置は、無線ＬＡＮ通信を介してメッセンジャーアプリケーションに接続された他の電子装置から第２音声に対応するメッセージを受信すると、９０３の動作を実行し、そうでなければ、９０１の動作を再び実行することができる。
【０１１４】
９０３の動作において、電子装置は、前記他の電子装置に対応する対話相手が含まれたメッセンジャーアプリケーションの対話グループの対話ウィンドウに前記第２音声に対応する視覚効果を表示することができる。前記視覚効果は、第２音声が受信されたことを示す指定されたイメージであればよい。また、前記視覚効果は、第２音声が受信された時間を含むことができる。さらに、前記視覚効果は、第２音声の容量サイズの値を含むことができる。
【０１１５】
９０５の動作において、電子装置は、前記第２音声に対応する音声データを格納することができる。
【０１１６】
９０７の動作において、電子装置は、近距離無線通信を介してペアリングされた産業用通信装置に前記第２音声に対応する信号を送信することができる。
【０１１７】
図１０は、本発明の一実施形態に係る産業用通信装置の動作のフローチャートである。図１０を参照すれば、前記産業用通信装置は、ユーザ操作によって、前記産業用通信装置が無電通信機能または近距離無線通信機能の実行を決定する動作と、前記無電通信機能の実行決定時、前記産業用通信装置の音声入力部を介して第１音声が入力されると、前記産業用通信装置が無電通信を介して指定された無電チャネルで外部に前記第１音声に対応する音声信号を送信する動作と、前記近距離通信機能の実行決定時、前記産業用通信装置の音声入力部を介して第２音声が入力されると、前記産業用通信装置が近距離無線通信を介してペアリングされた電子装置に前記第２音声に対応する音声信号を送信する動作とを含むことができる。
【０１１８】
１００１の動作において、産業用通信装置は、無電通信機能の実行の有無を判断することができる。産業用通信装置は、無電通信機能が実行されると、１００３の動作を実行し、無電通信機能が実行されなければ、１００７の動作を実行することができる。一実施形態によれば、ユーザ操作によって、第１産業用通信装置のＰＴＴボタン（図示せず；例：４００Ｍ  ＰＴＴボタン２０５）が押され、産業用通信装置のスピーカを介してビーフ音が１回出力されると、無電通信機能が実行される。
【０１１９】
１００３の動作において、産業用通信装置は、第１音声の入力の有無を判断することができる。産業用通信装置は、第１音声が入力されると、１００５の動作を実行し、第１音声が入力されなければ、１００３の動作を再び実行することができる。
【０１２０】
１００５の動作において、産業用通信装置は、無電通信を介して指定された無電チャネルで外部に前記第１音声に対応する信号を送信することができる。
【０１２１】
無電通信機能の実行後、ユーザが音声を入力すると、産業用通信装置は、他の産業用通信装置に入力された音声に対応する信号を送信することができる。また、追加的に、産業用通信装置のＬＥＤ照明が点灯する。前記ユーザの音声入力および前記音声に対応する音声信号の送信は、前記ＰＴＴボタンが押された状態で行われる。
【０１２２】
また、前記ＰＴＴボタンが押された状態が解除され、産業用通信装置３０１のスピーカを介してビーフ音が２回出力されると、産業用通信装置は、入力された音声に対応する音声信号の送信が中断される。また、追加的に、産業用通信装置の点灯したＬＥＤ照明が消え（点灯したＬＥＤ照明の点灯が終了し）てもよい。
【０１２３】
一方、１００７の動作において、産業用通信装置は、近距離無線通信機能の実行の有無を判断することができる。産業用通信装置は、近距離無線通信機能が実行されると、１００９の動作を実行し、近距離無線通信機能が実行されなければ、１００１の動作を再び実行することができる。
【０１２４】
１００９の動作において、産業用通信装置は、第２音声の入力の有無を判断することができる。産業用通信装置は、第２音声が入力されると、１０１１の動作を実行し、第２音声が入力されなければ、１００９の動作を再び実行することができる。
【０１２５】
１０１１の動作において、産業用通信装置は、近距離無線通信を介してペアリングされた電子装置に前記第２音声に対応する信号を送信することができる。
【０１２６】
図１１は、本発明の他の実施形態に係る産業用通信装置の動作のフローチャートである。図１１を参照すれば、産業用通信装置は、近距離無線通信を介して電子装置から第３音声に対応する信号を受信すると、前記産業用通信装置が前記産業用通信装置のサウンド出力部を介して前記第３音声を出力する動作と、前記産業用通信装置が無電通信を介して他の産業用通信装置から第４音声に対応する信号を受信すると、前記産業用通信装置が前記産業用通信装置のサウンド出力部を介して前記第４音声を出力する動作とを含むことができる。
【０１２７】
１１０１の動作において、産業用通信装置は、近距離無線通信を介してペアリングされた電子装置から第３音声信号の受信の有無を判断することができる。産業用通信装置は、近距離無線通信を介してペアリングされた電子装置から第３音声に対応する信号を受信すると、１１０３の動作を実行し、そうでなければ、１１０５の動作を実行することができる。
【０１２８】
１１０３の動作において、産業用通信装置は、第３音声を出力することができる。
【０１２９】
１１０５の動作において、産業用通信装置は、無電通信を介して他の産業用通信装置から第４音声に対応する信号の受信の有無を判断することができる。産業用通信装置は、無電通信を介して他の産業用通信装置から第４音声に対応する信号を受信すると、１１０７の動作を実行し、そうでなければ、１１０１の動作を再び実行することができる。
【０１３０】
１１０７の動作において、産業用通信装置は、第４音声を出力することができる。
【０１３１】
図１２は、本発明の一実施形態に係るメッセンジャーアプリケーションの加入時に表示される画面を示す。ユーザがメッセンジャーアプリケーションの加入時、図１２のように、サービス利用規約、個人情報収集、位置情報収集同意のための画面が電子装置に表示される。
【０１３２】
図１３は、本発明の一実施形態に係るメッセンジャーアプリケーションのログインのための画面を示す。メッセンジャーアプリケーションをログインする時、図１３のように、ＩＤとパスワードを入力させる画面にユーザがＩＤとパスワードを入力してログインするとよい。
【０１３３】
図１４は、本発明の一実施形態に係るメッセンジャーアプリケーションのユーザ情報入力画面を示す。一実施形態によれば、前記ユーザ情報は、メッセンジャーアプリケーションを用いるユーザの事故発生時、ユーザ情報を管制または同じ所属チャネルのユーザに伝達するための情報として用いられる。ユーザ情報入力は、図１４のように、名前、性別、生年月日、血液型を入力するように表示された画面に、ユーザが当該項目に名前、性別、生年月日、血液型を入力および／または選択して自身の情報を格納することができる。
【０１３４】
一方、一実施形態に係るユーザ情報修正は、ユーザが指定された設定メニューからユーザ情報修正メニューを選択して変更することができる。
【０１３５】
図１５は、本発明の一実施形態に係るメッセンジャーアプリケーションのグループ画面を示す。前記グループ画面は、例えば、管理者が登録し、ユーザ自身が含まれている対話グループリストを表示する画面であればよい。図１５を参照すれば、前記グループ画面は、ユーザ自身の属する対話グループリストを表示させるグループタブ１５０１、対話グループを検索できるようにするグループ検索１５０２、事前に登録された対話グループリスト１５０３、当該対話グループの対話ウィンドウに移動できるようにする対話ウィンドウ実行項目１５０４、お知らせ、呼び出し、音声対話全体を黙音処理する音消去項目１５０５、またはグループメニュー１５０６の少なくとも１つを含むことができる。前記グループメニューは、アイコンの選択または電子装置のメニューボタンの選択により実行されてもよいし、グループメニューにはリスト更新、設定、またはプログラム終了項目の少なくとも１つを含むことができる。
【０１３６】
図１６は、本発明の一実施形態に係るメッセンジャーアプリケーションの個別画面を示す。前記個別画面は、対話グループに登録されているユーザを表示し、個別および個別グループ対話を実行させる項目を表示する。また、前記対話グループに登録されているユーザの表示は、ユーザごとに現在オンであるか、オフであるかのユーザの状態が表示される。図１６（ａ）を参照すれば、前記個別画面は、対話グループに登録された個別ユーザを表示させる個別タブ１６０１、個別対話グループおよび／または個別ユーザを検索できるようにする個別（個別対話グループ）検索１６０２、ユーザ自身が個別ユーザを対話グループとして生成した個別対話グループ項目１６０３、当該個別対話グループの対話ウィンドウに移動できるようにする対話ウィンドウ実行項目１６０４、事前に登録されており、現在オンライン状態であるか、オフライン状態であるかが表示される個別ユーザリスト１６０５、個別メニュー１６０６、または個別選択メニュー１６０７の少なくとも１つを含むことができる。前記個別グループ項目１６０３には、追加的に生成した個別グループに含まれる全体ユーザ数を表示することができる。前記個別メニュー１６０６は、アイコンの選択または電子装置のメニューボタンの選択により実行され、個別メニューにはリスト更新、設定、またはプログラム終了項目の少なくとも１つを含むことができる。前記個別選択メニュー１６０７は、個別ユーザリスト１６０５から１人が選択されると、図１６（ｂ）のように、下端のメニューとして、「電話をかける」、「対話する」が表示される。また、前記個別選択メニュー１６０７は、個別ユーザリスト１６０５から複数の人が選択されると、図１６（ｃ）のように、下端のメニューとして、グループ生成、「対話する」が表示される。
【０１３７】
図１７は、本発明の一実施形態に係るメッセンジャーアプリケーションの対話リスト画面を示す。図１７を参照すれば、前記対話リスト画面は、対話リスト画面を表示させ、未受信メッセージカウントが表示されている対話リスト画面タブ１７０１、対話リスト１７０２、または対話リストメニュー１７０３の少なくとも１つを含むことができる。前記対話リスト１７０２には個別、個別グループ、グループ対話リストの少なくとも１つを表示することができる。また、前記対話リスト１７０２には最新順に表示され、一番最新に到着したメッセージの時間が表示される。さらに、対話リスト１７０２には未受信メッセージカウントを表示することができる。また、対話リスト１７０２には、個別、個別グループ対話の場合、ユーザ数を表示することができ、音声送受信表示、文字内容表示、または写真表示の少なくとも１つを含むことができる。前記対話リストメニューは、アイコンの選択または電子装置のメニューボタンの選択により実行され、対話リストメニューにはリスト編集、設定、またはプログラム終了項目の少なくとも１つを含むことができる。前記リスト編集は、対話リストの削除、または画面移動の少なくとも１つを含むことができる。
【０１３８】
図１８は、本発明の一実施形態に係るメッセンジャーアプリケーションのその他の画面を示す。前記その他の画面は、事故者情報および／または公知事項を表示する画面であればよい。図１８を参照すれば、前記その他の画面は、事故者情報および／または公知事項を表示させるその他リスト画面タブ１８０１、事故情報リストを表示させる事故情報リスト実行項目１８０２、その他メニュー１８０３、またはその他リスト１８０４の少なくとも１つを含むことができる。前記その他メニュー１８０３は、設定および／または終了を含むことができ、前記その他リスト１８０４は、事故情報および／または公知事項を含むことができる。
【０１３９】
図１９は、本発明の一実施形態に係るメッセンジャーアプリケーションの事故者情報画面を示す。前記事故者情報画面は、受信された事故発生アラームに対応するメッセージによる事故者情報リストを表示する画面であればよい。図１９（ａ）を参照すれば、前記事故者情報画面は、事故者情報ナビゲーション１９０１、事故者情報リスト表示１９０２、事故者情報表示１９０３、または「位置を見る」１９０４の少なくとも１つを含むことができる。前記事故者情報ナビゲーション１９０１は、前の画面に移動させる機能を行うことができる。前記事故者情報リスト表示１９０２は、事故者の名前および／または事故日時が表示される。前記事故者情報表示１９０３は、名前、性別、生年月日、血液型、事故者位置表示の少なくとも１つを含むことができる。前記「位置を見る」１９０４は、ユーザ操作による選択時、図１９（ｂ）のように地図に事故者位置を表示することができる。
【０１４０】
図２０は、本発明の一実施形態に係るメッセンジャーアプリケーションの対話グループの対話ウィンドウ画面を示す。前記対話ウィンドウを通したグループ、個別対話に対する音声、文字、写真などのメッセージは電子装置に格納される。図２０を参照すれば、前記対話ウィンドウは、対話ウィンドウナビゲーション２００１、対話ウィンドウメッセージ表示２００２、ＰＴＴ送信ボタン２００３、その他送信ボタン２００４、文字送信アイコン２００５、または対話ウィンドウメニュー２００６の少なくとも１つを含むことができる。前記対話ウィンドウナビゲーション２００１は、前の画面に移動させる機能を行うことができる。前記対話ウィンドウメッセージ表示２００２は、音声、文字、写真、および／または動画通信を表示することができ、対話相手の受信確認カウントを表示することができる。前記ＰＴＴ送信ボタン２００３は、「押して話す」ボタンで、ユーザが前記「押して話す」ボタンを押して話すと、ユーザの音声を送信することができる。前記その他送信ボタン２００４は、呼び出し、写真撮影、動画撮影、写真選択、および／または動画選択を含むことができる。前記文字送信アイコン２００５は、文字メッセージの送信時に用いることができる。前記対話ウィンドウメニュー２００６は、対話参加者表示、対話内容の削除、設定、および／または終了を含むことができる。追加的に、前記対話ウィンドウで表示されたメッセージをユーザがタッチしてロングプレスすると、個別メッセージの削除およびメッセージの当該対話相手への「電話をかける」項目が表示される。
【０１４１】
図２１は、本発明の一実施形態に係るメッセンジャーアプリケーションのオプション設定画面を示す。図２１を参照すれば、前記オプション設定画面は、お知らせ設定、対話設定、呼び出し機能設定、パスワード変更、文字サイズ、ユーザ情報修正、またはバージョン情報の少なくとも１つを含むことができる。
【０１４２】
前記お知らせ設定は、音、振動、呼び出し音でのお知らせを設定するお知らせ音設定と、特定対話ウィンドウが実行された状態で他の対話ウィンドウに含まれた対話相手の音声を無電通信を介して聴けるようにする他の対話ウィンドウの無電聴取項目を含むことができる。
【０１４３】
前記対話設定は、電子装置のボリュームの下端キーで無電通信可能に設定する「ボリュームキーで無電する」と、無電キー送信サウンドを設定する無電キーサウンド、発信終了時、電子装置の振動でユーザに知らせる最大発信終了振動を含むことができる。
【０１４４】
前記呼び出し機能設定は、呼び出し受信時のお知らせ期間（例：３０秒〜６０分）およびお知らせ頻度（例：１回〜５分間隔）を設定できるようにしてもよい。
【０１４５】
前記パスワード変更は、パスワード変更のためのものであり、前記文字サイズは、例えば、普通、大きく、一番大きくなどに設定すればよいし、バージョン情報は、現在のメッセンジャーアプリケーションのバージョン情報を表示することができる。
【０１４６】
図２２は、本発明の一実施形態に係るメッセンジャーアプリケーションの対話グループの対話ウィンドウがポップアップウィンドウの形態で表示された画面を示す。一実施形態によれば、電子装置の画面が消えた状態でチャネルおよび個別メッセージを受信した場合、ポップアップウィンドウでユーザが対話相手と対話することができる。対話ウィンドウがポップアップウィンドウの形態で表示された画面は、受信グループ名または個別対話ウィンドウ名２２０１、参加対話ウィンドウ選択項目２２０２、現在参加中の対話ウィンドウ表示２２０３、参加対話ウィンドウ移動メニュー２２０４、 見る２２０５、または当該ポップアップウィンドウの表示を終了する閉じるメニュー２２０６の少なくとも１つを含むことができる。
【０１４７】
前記受信グループ名または個別対話ウィンドウ名２２０１でグループ名はグループで受信された場合に表示し、個別名は個別で選択されて受信された場合に表示することができる。前記参加対話ウィンドウ選択項目２２０２は、現在生成されたグループリスト数が表示される。前記現在参加中の対話ウィンドウ表示２２０３で、現在のポップアップ状態で音声を送信する時は、ユーザが端末ボリュームの下端キーを押して実行させることができ、他の対話ウィンドウでメッセージを受信した場合にも、現在参加中の対話ウィンドウへの対話は引き続き維持できる。前記参加対話ウィンドウ移動メニュー２２０４は、対話リストの他の対話ウィンドウに移動させて、ユーザが他の対話ウィンドウの対話相手と対話できるようにしてもよい。
【０１４８】
図２３は、本発明の一実施形態に係るメッセンジャーアプリケーションの事故者情報がポップアップウィンドウの形態で表示された画面を示す。一実施形態によれば、電子装置の画面が消えた状態で事故発生アラームに対応するメッセージを受信した場合、事故者情報がポップアップウィンドウの形態で表示される。図２３（ａ）を参照すれば、事故者情報がポップアップウィンドウの形態で表示された画面には、事故者情報発生日時（２３０１；例：年、月、日表示）、事故者情報リスト２３０２、事故者地点リンク２３０３、見るメニュー２３０４、または閉じるメニュー２３０５の少なくとも１つを表示することができる。
【０１４９】
前記事故者情報リスト２３０２には、基準グループ、名前、性別、生年月日、血液型が表示される。前記事故者地点リンク２３０３がユーザによって選択されると、図２３（ｂ）のように事故者位置が画面に表示される。前記見るメニュー２３０４が選択されると、図１９のような事故者情報画面が表示される。前記閉じるメニュー２３０５が選択されると、ウィンドウの表示を終了する。
【０１５０】
図２４は、本発明の一実施形態に係るアプリケーションの個別対話グループの生成を説明するための画面を示す。前記個別対話グループの生成は、ユーザが個別画面から対話相手を選択し、個別対話グループ名を設定して作ることができ、生成された個別対話グループを選択して多者間対話をすることができる。一実施形態によれば、図２４（ａ）のようにユーザによって個別画面の下端のグループ生成メニューが選択されると、電子装置は、図２４（ｂ）のように個別対話グループ名設定画面を表示することができる。例えば、ユーザ入力によって、個別対話グループ名が第１グループに設定されると、電子装置は、図２４（ｃ）のように生成された個別対話グループを画面に表示することができる。また、ユーザ入力によって、第１グループの実行が選択されると、電子装置は、図２４（ｄ）のように個別対話グループの対話ウィンドウを画面に表示することができる。
【０１５１】
図２５は、本発明の一実施形態に係るメッセンジャーアプリケーションの対話グループの対話ウィンドウの実行を説明するための画面を示す。図２５（ａ）を参照すれば、グループ画面から対話するグループの対話ウィンドウ実行項目２５０１を選択して対話ウィンドウを実行することができる。図２５（ｂ）を参照すれば、個別画面から対話する個別グループ対話リストの対話ウィンドウ実行項目２５０２を選択して対話ウィンドウを実行することができる。図２５（ｃ）を参照すれば、個別画面から対話する少なくとも１人の対話相手を選択後、下端の対話するメニュー２５０３を選択して対話ウィンドウを実行することができる。図２５（ｄ）を参照すれば、対話リストが表示された画面から対話リスト２５０４を選択して対話ウィンドウを実行することができる。
【０１５２】
一方、一実施形態によれば、電子装置の画面が消えた状態でも、メッセンジャーアプリケーションの対話グループに含まれた対話相手と対話を維持することができる。例えば、対話ウィンドウが表示された状態で電子装置の画面が消えると、すでに表示されていた対話ウィンドウに含まれた対話相手（ら）と対話を維持することができる。また、例えば、対話ウィンドウが表示されていない状態で電子装置の画面が消えると、指定された基準対話グループの対話相手（ら）と対話を維持することができる。
【０１５３】
図２６は、本発明の一実施形態に係るメッセンジャーアプリケーションの対話グループの対話ウィンドウの移動を説明するための画面を示す。一実施形態によれば、他の対話ウィンドウで無電（例えば、文字、写真、動画、音声など）が受信された場合、電子装置は、これを知らせるポップアップウィンドウを画面に表示することができ、当該ポップアップウィンドウは、指定された時間（例：５秒）の間当該ポップアップウィンドウを表示することができる。例えば、図２６（ａ）のようなグループ画面が実行された状態、図２６（ｂ）のような個別画面が実行された状態、図２６（ｃ）のような対話リストが実行された状態、または図２６（ｄ）のような特定対話ウィンドウが実行された状態で音声メッセージが受信されると、電子装置は、送信者情報（グループ情報および名前情報）を含むポップアップウィンドウを画面に表示することができ、表示されたポップアップウィンドウでユーザによって移動メニューが選択されると、電子装置は、送信者の当該グループに対話ウィンドウを移動させることができる。
【０１５４】
図２７は、本発明の一実施形態に係るメッセンジャーアプリケーションの対話グループの対話ウィンドウでの対話を説明するための画面を示す。一実施形態によれば、電子装置は、ユーザ操作によって、対話ウィンドウで音声、文字、写真、動画送信または受信を行うことができる。例えば、図２７（ａ）のように表示された対話ウィンドウでユーザ操作によって＋メニュー２７０１が選択されると、図２７（ｂ）のように、電子装置は、呼び出し信号送信のための呼び出し、写真撮影実行のためのカメラ、写真送信のための写真、動画送信のための動画、音声メッセージ送信のための音声メッセージメニューを画面に表示することができる。また、図２７（ａ）のように表示された対話ウィンドウでユーザ操作によってメッセージメニュー２７０２が選択されると、電子装置は、図２７（ｃ）のように、メッセージを入力可能な画面を表示することができる。
【０１５５】
追加の実施形態によれば、基本設定メニューで他の対話ウィンドウの音声聴取機能を設定してもよいし、このような機能の設定時、現在の対話ウィンドウ画面で他の対話ウィンドウに音声が受信されると、当該音声を電子装置を用いるユーザが聴くことができる。
【０１５６】
図２８は、本発明の一実施形態に係るメッセンジャーアプリケーションの対話ウィンドウでの呼び出し機能を説明するための画面を示す。図２８（ａ）のように表示された対話ウィンドウで呼び出しメニュー２８０１が選択されると、図２８（ｂ）のように対話ウィンドウに含まれた対話相手の電子装置のお知らせウィンドウ画面に呼び出しのお知らせが表示される。また、図示しないが、前記対話相手の電子装置の対話ウィンドウ画面に当該呼び出しのお知らせが表示される。
【０１５７】
一方、本発明の実施形態は、ハードウェア、ソフトウェア、またはハードウェアおよびソフトウェアの組み合わせの形態で実現可能であることが分かるであろう。このような任意のソフトウェアは、例えば、削除可能または書き換え可能か否かにかかわらず、ＲＯＭなどの格納装置のような不揮発性格納装置、または、例えば、ＲＡＭ、メモリチップ、装置または集積回路のようなメモリ、または、例えば、ＣＤ、ＤＶＤ、磁気ディスクまたは磁気テープなどのような光学または磁気的に記録可能であると同時に機械（例えば、コンピュータ）で読取可能な格納媒体に格納される。携帯端末内に含まれるメモリは、本発明の実施形態を実現する指示を含むプログラムまたはプログラムを格納するのに適した機械で読取可能な格納媒体の一例であることが分かるであろう。したがって、本発明は、本明細書の任意の請求項に記載の装置または方法を実現するためのコードを含むプログラムおよび当該プログラムを格納する機械で読取可能な格納媒体を含む。また、このようなプログラムは、有線または無線連結により伝達される通信信号のような任意の媒体を介して電子的に移送され、本発明はこれと均等なものを適切に含む。
【図１】
2018524894.tif 000003
【図２】
2018524894.tif 000004
【図３Ａ】
2018524894.tif 000005
【図３Ｂ】
2018524894.tif 000006
【図４】
2018524894.tif 000007
【図５】
2018524894.tif 000008
【図６】
2018524894.tif 000009
【図７】
2018524894.tif 000010
【図８】
2018524894.tif 000011
【図９】
2018524894.tif 000012
【図１０】
2018524894.tif 000013
【図１１】
2018524894.tif 000014
【図１２】
2018524894.tif 000015
【図１３】
2018524894.tif 000016
【図１４】
2018524894.tif 000017
【図１５】
2018524894.tif 000018
【図１６】
2018524894.tif 000019
【図１７】
2018524894.tif 000020
【図１８】
2018524894.tif 000021
【図１９】
2018524894.tif 000022
【図２０】
2018524894.tif 000023
【図２１】
2018524894.tif 000024
【図２２】
2018524894.tif 000025
【図２３】
2018524894.tif 000026
【図２４】
2018524894.tif 000027
【図２５】
2018524894.tif 000028
【図２６】
2018524894.tif 000029
【図２７】
2018524894.tif 000030
【図２８】
2018524894.tif 000031
【国際調査報告】
2018524894.tif 000032
2018524894.tif 000033
2018524894.tif 000034
2018524894.tif 000035